(57)【要約】【課題】装着脱を簡単に行えて、使用中の負担が小さくて使用を継続し易く、脊柱矯正と腰部の筋肉強化による腰痛治療、腰痛防止等に適し、特に自動車走行時の使用に好適で、妊婦のシートベルト代替品としての使用に適するようにする。【解決手段】椅子の背もたれ最上部付近に設けた支持部６に装着脱できる取付部と、その取付部に所定距離離して一部を夫々固着し、使用時に各腕の付け根付近を夫々取り巻いて胴体を支持する２本の着座姿勢矯正輪３とから構成する。そして、各着座姿勢矯正輪３の中核部材として輪状のベルトを用い、各輪状ベルトの固着端寄り部分を調節部１９とし、その調節部１９に輪状ベルトの長さ調節と分離・結合を自在に行える手段１５、１６を備え付け、調節部１９以外のベルトの身体との接触側に、クッション性の当て材を備え付ける。【選択図】        図１
2009095393.tif 000002
【特許請求の範囲】
【請求項１】
椅子の背もたれ最上部又はその最上部付近に設けた支持部に装着脱できる取付部と、その取付部に所定距離離して一部を夫々固着し、使用時に左右の各腕の付け根付近を夫々取り巻いて胴体の上部を支持する２本の着座姿勢矯正輪とからなる着座用健康器具であって、上記各着座姿勢矯正輪の中核部材として輪状のベルトを夫々用い、その各輪状ベルトの固着端寄り部分を調節部とし、その調節部に輪状ベルトの長さ調節と輪状ベルトの分離・結合を自在に行える手段を備え付け、その輪状ベルトの調節部以外のベルトの身体との接触側に、クッション性の当て材を備え付けることを特徴とする着座用健康器具。
【請求項２】
各着座姿勢矯正輪のクッション性当て材設置部の脇の下付近に当たる箇所に、保冷材又は保温材を収容できる袋部を夫々設けることを特徴とする請求項１記載の着座用健康器具。
【請求項３】
各着座姿勢矯正輪のクッション性当て材設置部に沿って、外表面にクッション材を付着し、穴内に着座姿勢矯正輪のクッション性当て材設置部が挿通する当て筒を、夫々自在に移動できるように備え付けることを特徴とする請求項１又は２記載の着座用健康器具。
【請求項４】
背もたれ最上部に支持部を設けることを特徴とする請求項１、２又は３記載の着座用健康器具装着用椅子。
【発明の詳細な説明】
【技術分野】
【０００１】
本発明は着座状態で姿勢を矯正できる着座用健康器具並びにその着座用健康器具装着用椅子に関する。
【背景技術】
【０００２】
２足歩行をする人間にとって腰痛は宿命的な病気であるといわれている。２足歩行をする際には、重い頭部の乗る上半身の体重を腰で支えながら、腰でバランスを取って直立歩行をしなければならない。それ故、歩行状態が不安定であって、腰に無理な力がかかり易く、長年の歩行により腰に疲労が蓄積する。しかも、歳を取ると、腰部の筋肉が衰え、骨が脆くなるため、重い荷物を持ったり、体に大きな衝撃が加わったりすると、腰椎が圧迫されて椎間板等が変形し易く、腰痛が発生する。
【０００３】
そこで、鉄棒等にぶら下がって、胸椎、腰椎等を伸ばして、脊柱を矯正し、筋肉を強化するぶら下がり運動療法が行われている。しかし、脳卒中の後遺症等で手が不自由な人は鉄棒等を握ってぶら下がり運動をすることができない。この点に着目し、手の握力が弱って鉄棒等を握ることができない人でも安全に使用することのできるぶら下がり健康器具として、鉄棒等に掛脱自在の掛合部を有する吊りベルトが提供されている。
【特許文献１】実用新案登録第３０７１３５４号
【発明の開示】
【発明が解決しようとする課題】
【０００４】
しかしながら、このようなぶら下がり健康器具によっても、吊りベルトにより左右の手首、首、左右の上腕、背中から脇の下等を吊って鉄棒等に全身を吊り下げなければならない。それ故、使用者、その補助者等によるぶら下がり開始時及び終了時での負担が大きく、ぶら下がり中に使用者の全体重が手首、上腕、背中から脇の下等の局部に集中するので、病弱者等にとっては負担が大きくなり、ぶら下がりを長く続け難い。
【０００５】
本発明はこのような従来の問題点に着目してなされたものであり、装着脱を簡単に行えて、使用中の負担が小さくて使用を継続し易く、脊柱矯正と腰部の筋肉強化による腰痛治療、腰痛防止等に適し、特に自動車走行時の使用に好適で、妊婦のシートベルト代替品としての使用に適する着座用健康器具並びにその着座用健康器具装着用椅子を提供することを目的とする。
【課題を解決するための手段】
【０００６】
上記目的を達成するために、本発明による着座用健康器具は、椅子の背もたれ最上部又はその最上部付近に設けた支持部に装着脱できる取付部と、その取付部に所定距離離して一部を夫々固着し、使用時に左右の各腕の付け根付近を夫々取り巻いて胴体の上部を支持する２本の着座姿勢矯正輪とから構成する。そして、上記各着座姿勢矯正輪の中核部材として輪状のベルトを夫々用い、その各輪状ベルトの固着端寄りの部分を調節部とし、その調節部に輪状ベルトの長さ調節と輪状ベルトの分離・結合を自在に行える手段を備え付け、その輪状ベルトの調節部以外のベルトの身体との接触側に、クッション性の当て材を備え付ける。
【０００７】
又、上記各着座姿勢矯正輪のクッション性当て材設置部の脇の下付近に当たる箇所に、保冷材又は保温材を収容できる袋部を夫々設けると好ましくなる。
【０００８】
又、上記各着座姿勢矯正輪のクッション性当て材設置部に沿って、外表面にクッション材を付着し、穴内に着座姿勢矯正輪のクッション性当て材設置部が挿通する当て筒を、夫々自在に移動できるように備え付けるとよい。
【０００９】
又、上記着座用健康器具装着用椅子には、背もたれ最上部に支持部を設けるとよい。
【発明の効果】
【００１０】
本発明による着座用健康器具は、取付部を背もたれ最上部又はその最上部付近に設けた支持部へ取り付け、又取り外しにより、椅子に簡単に装着脱できる。そして、椅子に装着した後に、背もたれの前側に垂らしておいた２本の着座姿勢矯正輪に対し、着座して、その各矯正輪に左右の腕を夫々差し込む等して、各矯正輪を腕の付け根付近を夫々取り巻く位置に配置して掛ける。すると、健康器具を身体に簡単に装着できる。それ故、椅子に着座して背もたれに寄り掛かった胴体の上部を２本の着座姿勢矯正輪にて左右両側から良好に支持できる。しかも、２本の着座姿勢矯正輪を腕の付け根付近に掛けるので、両腕を自由に使える。脱着時には両着座姿勢矯正輪から腕を夫々引き抜く等する。
【００１１】
上記着座姿勢矯正輪の中核部材に輪状のベルトを夫々用い、その各輪状ベルトの固着端寄り部分を調節部にし、その調節部に輪状ベルトの長さ調節と輪状ベルトの分離・結合を自在に行える手段を備え付けることにより、各着座姿勢矯正輪の長さが使用者の体型等に合わない場合には、各輪状ベルトの調節部に備えた各手段を適宜操作して輪状ベルトを分離・結合し、輪状ベルトの長さ調節を行う等して、簡単に使用者の体型に合せることができる。しかも、各輪状ベルトにはその調節部以外のベルトの身体との接触側に、クッション性当て材を備え付けてあるので、身体に接触するベルトの当たりをクッション性当て材を介在することにより弱めて、使用状態を快適にできる。
【００１２】
このような着座用健康器具を、例えば乗用車の運転席で使用する場合、背もたれの最上部に備えられているヘッドレストを支持部として利用する。すると、健康器具を、運転席に装着した後、身体にシートベルトと共に健康器具を装着して２本の着座姿勢矯正輪で脇を抱えても、両腕を自由に使える。それ故、運転を自由に行えるので、運転中の負担が小さく、運転を長く続けることができる。そして、運転中には身体に対し上下、左右、前後等の方向に振動が加わるが、両着座姿勢矯正輪が両腕の付け根付近に掛かっているので、各矯正輪の長さの範囲で胴体が移動の規制を受ける。このため、運転開始時に設定した姿勢を運転中も簡単に保持できて、運転姿勢を矯正できる。特に振動により上動した胴体が下動する時に、その胴体が矯正輪により吊り下げられた状態になるため、胸椎、腰椎等を伸ばして脊柱を矯正できる。そして、自動車の運転を繰り返して行うと、胴体に加わる振動が継続的に繰り返されるため、脊柱の矯正と腰部の筋肉強化により椎間板等の変形による腰痛治療を行える。又、腰痛予防にもなる。なお、妊婦でシートベルトが使用できない場合には、シートベルトの代替品として適している。
【００１３】
又、上記各着座姿勢矯正輪のクッション性当て材設置部の脇の下付近に当たる箇所に、保冷材又は保温材を収容できる袋部を夫々設けることにより、その袋部に高温時には保冷財を適宜収容し、低温時には保温材を適宜収容して、脇の下の皮膚近くを通る腋下動脈及び腋下静脈中の血液を冷却し、温めることができる。それ故、脇の下に対する部分的な冷却又は加温によって身体全体を効率よく冷却又は加温でき、エアコン等を使用して室内全体を冷却又は加温することなく、快適な運転等による使用を継続できる。
【００１４】
又、上記各着座姿勢矯正輪のクッション性当て材設置部に沿って、外表面にクッション材を付着し、穴内に着座姿勢矯正輪のクッション性当て材設置部が挿通する当て筒を、夫々自在に移動できるように備え付けることにより、装着時に各当て筒を、例えば各着座姿勢矯正輪の前側部下方付近に移動して使用できる。すると、使用時にベルトから特に力が加わる各腕の付け根の前側部下方付近を当て筒にて位置ずれをなくして正確に、クッション材にて快適な状態に支持できるので、着座姿勢矯正輪により腕の付け根を良好に抱えることができる。
【００１５】
又、上記背もたれ最上部に支持部を設けることにより、椅子を上記着座用健康器具を装着して使用できる好適な椅子にすることができる。
【発明を実施するための最良の形態】
【００１６】
以下、添付の図１〜４を参照にして、本発明の実施の最良形態を説明する。
図１は本発明を適用した着座用健康器具を自動車の運転席に装着して使用した状態を示す斜視図、及び図２はその着座用健康器具の斜視図である。この着座用健康器具１は、椅子の背もたれ最上部又はその最上部付近に設けた支持部に装着脱できる取付部２と、その取付部２に所定距離離して一部を夫々固着し、使用時に左右の各腕の付け根付近を夫々取り巻いて胴体の上部を支持する２本の着座姿勢矯正輪３との３主要部から構成する。そして、着座用健康器具１を自動車の座席、例えば運転席４に装着して使用する場合には、背もたれ５の最上部に備え付けられているヘッドレスト６を取付部２の支持部として利用する。
【００１７】
そこで、着座用健康器具１を製作する際に、中核部材として、例えば幅が２．５ｃｍで強度が大きく柔軟性を有するベルト７を用いる。しかも、そのベルト７を用いて、取付部２、左右の各着座姿勢矯正輪３のいずれをも輪状に形成する。そして、輪状ベルトからなる取付部２の前側部８と左右両側部９、１０のベルト７を一重にし、後側部１１のベルト７を二重にする。その際、後側部１１を調節部とし、その左端部に、輪状ベルトの分離・結合を自在に行える手段として、例えば２操作突部１２(１２ａ、１２ｂ)付きフック部１３とそのフック受け部１４とからなる接続具１５を備え付けて、左側部９と結合する。又、その右端部に、輪状ベルトの長さ調節を自在に行える手段として、ベルト折り返し巻き中央棒１６を有する日形状の主止め具１７を備え付けて、右側部１０と結合する。なお、１８は基側ベルト７ａの外側に折り返し側ベルト７ｂを重ねて挿通させる挿通穴付きの補助止め具である。
【００１８】
このような取付部２の前側部８の長さを例えば２５ｃｍにし、その両端部に各着座姿勢矯正輪３を構成する輪状ベルトの一部を夫々固着し、その各輪状ベルトの前側固着端寄りの上端部１９を、例えば１０ｃｍ程夫々調節部にする。なお、各着座姿勢矯正輪３の全体の長さを、例えば６５ｃｍ程にする。そして、各着座姿勢矯正輪３の上端部１９に、輪状ベルトの分離・結合を自在に行える手段として、同様のフック部１３とフック受け部１４とからなる接続具１５を夫々備え付け、更に輪状ベルトの長さ調節を行える手段として、同様の主止め具１７と補助止め具１８を夫々備え付ける。
【００１９】
そして、各着座姿勢矯正輪３を構成する輪状ベルトの調節部１９と後側固着端寄り部分２０を除く、長さが例えば５０ｃｍ程のベルト部分をスポンジ等のクッション性の当て材（図示なし）で被覆して、その当て材をベルトに固着する。すると、輪状ベルトの身体との接触側に、クッション性の当て材が備え付けられているので、使用時にはベルトと身体との間にクッション性当て材を介在することになり、身体に接触するベルトの当りを弱めて、使用状態を快適にできる。
【００２０】
次に、その各輪状ベルトのクッション性当て材被覆箇所を保護するため、両端２１(２１ａ、２１ｂ)に閉鎖方向の付勢力が働くゴム等の弾力性を有する輪状部材を備え付けた筒状カバー２２で夫々被覆する。その際、各筒状カバー２２の前側下方寄り部分にファスナ−等の開閉自在な留め具２３を備え付けておく。すると、その各筒状カバー２２の全体が袋状となっているので、留め具２３を操作して袋内部に保冷材又は保温材を挿入できる。そして、保冷材又は保温材を移動させると、各着座姿勢矯正輪３の筒状カバー２２で被われたクッション性当て材設置部の脇の下付近が夫々保冷材又は保温材を収容する袋部になる。なお、各筒状カバー２２の両端を開いて、そこから内部の脇の下に該当する箇所に保冷材又は保温材を挿入することもできる。
【００２１】
次に、外表面にクッション材２４を付着し、穴２５の内部に着座姿勢矯正輪３の筒状カバー２２で被われたクッション性当て材設置部が挿通する当て筒２６として、例えば内外径が夫々４ｃｍ、４．４ｃｍで長さが１０ｃｍ程のプラスチック製円筒の外表面に、クッション材２４として多数のプラスチック製短毛を付着密生させたものを２個用いる。そして、各当て筒２６を着座姿勢矯正輪３の筒状カバー２２で被われたクッション性当て材設置部に沿って、夫々自在に移動できるように備え付ける。すると、着座用健康器具１が完成する。
【００２２】
このような着座用健康器具１を自動車の運転席４で使用する際には、先ずヘッドレスト６を背もたれ５から少し引き上げる等して、そのヘッドレスト６の下方に伸びる２本の挿入支柱２７を露出させる。そして、両挿入支柱２７の付け根付近に、取付部２を構成する輪状ベルトを、外側を取り巻くように嵌めて夫々取り付ける。すると、図３に示すように背もたれ５の前側に２本の着座姿勢矯正輪３を左右に離して夫々垂らすことができ、健康器具１を運転席４に簡単に装着できる。なお、取付部２をヘッドレスト６に取り付ける際に、輪状ベルトの長さ調節と分離・結合を自在に行えるばかりでなく、そのヘッドレスト６からの取付部の着脱も簡単に行える。
【００２３】
そこで、着座し、シートベルト２８を掛けた後、その各矯正輪３に左右腕を差し込む等して、各矯正輪３を腕の付け根付近を夫々取り巻く位置に配置して掛ける。すると、健康器具１を身体に簡単に装着できる。その際、各当て筒２６を着座姿勢矯正輪３の前側部下方付近に移動して使用する。すると、運転時に各着座姿勢矯正輪３を構成する輪状ベルトから特に力が加わる腕の付け根の前側部下方付近を、当て筒２６にて位置ずれをなくして正確に、クッション材２４にて快適な状態に支持できる。それ故、各着座姿勢矯正輪３により腕の付け根を夫々良好に抱えることができる。しかも、各着座姿勢矯正輪３の長さが使用者の体型等に合わない場合には、各輪状ベルトを分離・結合し、輪状ベルトの長さ調節を行う等すると、簡単に使用者の体型に合せることができる。なお、各当て筒２６の位置は、当然使用者の体の具合、好み等に応じて適宜変えることができる。
【００２４】
このようにして、身体にシートベルト２８と共に健康器具１を装着して、左右に配置した２本の着座姿勢矯正輪３で脇を支えても、両腕を自由に使える。それ故、運転を自由に行えるので、運転中の負担が小さく、運転を長く続けることができる。運転中、両着座姿勢矯正輪３が両腕の付け根付近に掛かっているので、身体に対し上下、左右、前後等の方向に振動が加わるが、各矯正輪３の長さの範囲で胴体が移動の規制を受ける。
【００２５】
このため、運転開始時に設定した姿勢を運転中も簡単に保持できて、運転姿勢を矯正できる。特に振動により上動した胴体が下動する時に、その胴体が矯正輪３により吊り下げられた状態になるため、胸椎、腰椎等を伸ばして脊柱を矯正できる。そして、自動車の運転を繰り返して行うと、胴体に加わる振動が継続的に繰り返されるため、脊柱の矯正と腰部の筋肉強化により椎間板等の変形による腰痛治療を行える。又、腰痛防止にもなる。なお、妊婦でシートベルトが使用できない場合には、シートベルトの代替品として適している。
【００２６】
しかも、高温時又は低温時等の運転時、各着座姿勢矯正輪３の脇の下該当箇所の袋部に適宜保冷材又は保温材を収容して使用し、脇の下の皮膚近くを通る腋下動脈及び腋下静脈中の血液を冷却し、温めることができる。それ故、脇の下に対する部分的な冷却又は加温によって身体全体を効率よく冷却又は加温でき、エアコン等を使用して室内全体を冷却又は加温することなく、快適な運転等による使用を継続できる。
【００２７】
上記実施の形態では着座用健康器具１を運転席４に装着して使用する場合について説明したが、椅子の背もたれ最上部に支持部を設け、そこに健康器具１の取付部２を取り付けると、病弱者等がリハビリ用に使用し易くなる。例えば、図４に示すように座椅子２９の背もたれ３０の最上部に、上方に向って突出する屈曲した支持部３１を設ける。その際、座椅子２９の骨組を管材３２を用いて形成し、その座面３３と背もたれ３０とを２箇所の各接続箇所３４において、管材３２同士の嵌め合わせとねじ止めにより、分解・組立自在な構造にする。すると、座椅子２９を分解して座面３３と背もたれ３０とに分離することによりコンパクトにでき、箱等に着座用健康器具１と一緒に収納すると、運搬し易くなる。
【００２８】
そして、運搬先で座面３３の側に設けた両接続端部と背もたれ３０の側に設けた両接続端部とを、対応する管材３２同士を夫々嵌め合せねじ止めして、座椅子２９を組み立てる。その際、各接続端部に数個例えば５個のねじ止め穴３５を夫々設けておくと、ねじ３６を差し込む穴３５を選択することによって、背もたれ３０の高さを座高に合せて調節できる。なお、３７は座面３３の一部を構成する多数孔付き架設板であり、座面３３の骨組管材３２に対し、その架設板３７をねじ止めにより結合、分離自在にする。又、３８は背もたれ３０の一部を構成する多数孔付き架設板であり、背もたれ３０の骨組管材３２に対し、その架設板３８をねじ止めにより結合、分離自在にする。
【００２９】
このようにして、座椅子２９を組み立てた後、そこに着座用健康器具１を装着し、更に座面３３に着座して身体に装着すると、同様に使用できる。但し、運転席４で使用する場合とは異なり、外部から振動が加わらないので、自身で脊柱を伸ばすように装着し、両着座姿勢矯正輪３に自身の胴体上部を吊り下げて揺すって使用する。すると、胸椎、腰椎等を伸ばした状態にして保持できるので、病弱者でも安全に脊柱を矯正できる。なお、このような座椅子２９は普通に事務用等に使用している背もたれ付き椅子上に乗せ、そこに着座用健康器具１を装着して使用することもできる。
【００３０】
なお、上記実施の形態では、着座用健康器具１の取付部２を取り付ける椅子の支持部として、背もたれの最上部に備えつけられているヘッドレストを利用し、或いは背もたれの最上部に、背もたれと一体に結合した支持部を設ける場合について説明したが、椅子の背もたれの最上部付近に、背もたれと一体又は別体の支持部を設けて使用することもできる。
【図面の簡単な説明】
【００３１】
【図１】本発明を適用した着座用健康器具を自動車の運転席に装着して使用した状態を示す斜視図である。
【図２】同着座用健康器具の斜視図である。
【図３】同着座用健康器具を運転席に装着した状態を示す斜視図である。
【図４】同着座用健康器具の装着に適した座椅子の斜視図である。
【符号の説明】
【００３２】
１…着座用健康器具  ２…取付部  ３…着座姿勢矯正輪  ４…運転席  ５、３０…背もたれ  ６…ヘッドレスト（支持部）  ７…ベルト  １１…後側部（調節部）  １５…接続具  １７…主止め具  １８…補助止め具  １９…調節部  ２２…筒状カバー  ２３…留め具  ２４…クッション材  ２５…筒穴  ２６…当て筒  ２７…挿入支柱  ２８…シートベルト  ２９…座椅子  ３１…支持部  ３２…管材  ３３…座面  ３４…接続箇所  ３５…ねじ止め穴  ３６…ねじ  ３７、３８…架設板
【図１】
2009095393.tif 000003
【図２】
2009095393.tif 000004
【図３】
2009095393.tif 000005
【図４】
2009095393.tif 000006